(57)【特許請求の範囲】
【請求項１】
ヘルメットのサイズの種類およびパッドの形態を選定する方法であって、
上記ヘルメットサイズの種類と上記パッドの形態との選定に必要なプログラムを利用することができるコンピュータにヘルメット着用者の頭部の前後長サイズおよび左右幅サイズをデータとしてそれぞれ入力する工程と、
上記プログラムを用いて上記前後長サイズおよび上記左右幅サイズをデータ処理することによって、上記ヘルメット着用者にそれぞれ適合する上記ヘルメットサイズの種類および上記パッドの形態をそれぞれ選定する工程とを備えている選定方法において、
上記ヘルメット着用者の頭部の上頭部高さサイズを上記コンピュータにデータとして入力する工程と、
上記プログラムを用いて上記上頭部高さサイズをデータ処理することによって、上記ヘルメット着用者に適合する頭頂部付近のパッドの形態を選定する工程とをさらに備えていることを特徴とする選定方法。
【請求項２】
上記頭頂部付近のパッドの形態の選定は、センターパッドの頭頂部付近を頭頂部用追加パッドによって調整することが必要であるかあるいは不要であるかの選定を含むことを特徴とする請求項１に記載の選定方法。
【請求項３】
上記ヘルメット着用者の頭部の左右ほほ前幅サイズ（この左右ほほ前幅サイズは、上記頭部の左側のほほ骨の出っ張り部分付近と、上記頭部の右側のほほ骨の出っ張り部分付近との間隔を意味している。）および左右ほほ後幅サイズ（この左右ほほ後幅サイズは、上記頭部の左側のほほ部のうちの左側の耳たぶの下端から少し前方の部分付近と、上記頭部の右側のほほ部のうちの右側の耳たぶの下端から少し前方の部分付近との間隔を意味している。）のそれぞれを上記コンピュータにデータとして入力する工程と、
上記プログラムを用いて上記左右ほほ前幅サイズおよび上記左右ほほ後幅サイズをデータ処理することによって、上記ヘルメット着用者に適合するチークパッドの形態を選定する工程とをさらに備えていることを特徴とする請求項１または２に記載の選定方法。
【請求項４】
ヘルメットのサイズの種類およびパッドの形態を選定する方法であって、
上記ヘルメットサイズの種類と上記パッドの形態との選定に必要なプログラムを利用することができるコンピュータにヘルメット着用者の頭部の前後長サイズおよび左右幅サイズをデータとしてそれぞれ入力する工程と、
上記プログラムを用いて上記前後長サイズおよび上記左右幅サイズをデータ処理することによって、上記ヘルメット着用者にそれぞれ適合する上記ヘルメットサイズの種類および上記パッドの形態をそれぞれ選定する工程とを備えている選定方法において、
上記ヘルメット着用者の頭部の左右ほほ前幅サイズ（この左右ほほ前幅サイズは、上記頭部の左側のほほ骨の出っ張り部分付近と、上記頭部の右側のほほ骨の出っ張り部分付近との間隔を意味している。）および左右ほほ後幅サイズ（この左右ほほ後幅サイズは、上記頭部の左側のほほ部のうちの左側の耳たぶの下端から少し前方の部分付近と、上記頭部の右側のほほ部のうちの右側の耳たぶの下端から少し前方の部分付近との間隔を意味している。）のそれぞれを上記コンピュータにデータとして入力する工程と、
上記プログラムを用いて上記左右ほほ前幅サイズおよび上記左右ほほ後幅サイズをデータ処理することによって、上記ヘルメット着用者に適合するチークパッドの形態を選定する工程とをさらに備えていることを特徴とする選定方法。
【請求項５】
上記チークパッドの形態の選定は、厚みが互いに相違している複数種類のチークパッドのうちから、上記ヘルメット着用者に適合するチークパッドを選定することを含むことを特徴とする請求項３または４に記載の選定方法。
【請求項６】
上記ヘルメットサイズの選定された種類と上記パッドの選定された形態とをそれぞれ表示する工程をさらに備えていることを特徴とする請求項１〜５のうちのいずれか１つに記載の選定方法。
【請求項７】
上記ヘルメット着用者に適合する上記パッドの形態の選定は、前側追加パッド、後側追加パッド、左側追加パッドおよび右側追加パッドのうちの少なくとも１つの追加パッドによるセンターパッドの調整が必要であるかあるいは不要であるかの選定を含むことを特徴とする請求項１〜６のうちのいずれか１つに記載の選定方法。
【請求項８】
請求項２または７に記載の選定方法を用いてヘルメットのサイズを調整する方法において、
上記選定されたパッドの形態に基づいて、少なくとも１種類の追加パッドを上記センターパッドに配置することを特徴とする調整方法。
【請求項９】
請求項４、５または６に記載の選定方法を用いてヘルメットサイズを調整する方法において、
上記選定されたチークパッドの形態に基づいて、複数種類のチークパッドのうちのいずれか１種類のチークパッドを上記ヘルメットの内部に配置することを特徴とする調整方法。
【請求項１０】
請求項１〜３、６および７のうちのいずれか１つに記載の選定方法に用いる頭部サイズ測定具であって、
ヘルメット着用者の頭部の前後長サイズ、左右幅サイズおよび上頭部高さサイズを少なくとも測定することができる頭部サイズ測定具において、
第１の測定具片と、この第１の測定具片に対して相対的に往復動可能である第２の測定具片と、上記第１または第２の測定具片に対して相対的に往復動可能である第３の測定具片とを備え、
上記第１の測定具片を上記頭部の前側面または後側面に当接させるとともに上記第２の測定具片を上記頭部の後側面または前側面に当接させた第１の当接状態において、上記第１の測定具片に対する上記第２の測定具片の相対的な往復動位置によって、上記前後長サイズを測定し得るように構成し、
上記第１の測定具片を上記頭部の左側面または右側面に当接させるとともに上記第２の測定具片を上記頭部の右側面または左側面に当接させた第２の当接状態において、上記第１の測定具片に対する上記第２の測定具片の相対的な往復動位置によって、上記左右幅サイズを測定し得るように構成し、
上記第１および第２の測定具片の上記第２の当接状態において上記第３の測定具片を上記頭部の頭頂部に当接させた第３の当接状態において、上記第１または第２の測定具片に対する上記第３の測定具片の相対的な往復動位置によって、上記上頭部高さサイズを測定し得るように構成したことを特徴とする頭部サイズ測定具。
【請求項１１】
上記第１および第２の測定具片のうちの一方に第１の長さ目盛が設けられ、
上記第１および第２の測定具片のうちの他方に、上記第１の長さ目盛に対応した第１の指針が設けられ、
上記第１または第２の測定具片と上記第３の測定具片とのうちの一方に第２の長さ目盛が設けられ、
上記第１または第２の測定具片と上記第３の測定具片とのうちの他方に、上記第２の長さ目盛に対応した第２の指針が設けられていることを特徴とする請求項１０に記載の頭部サイズ測定具。
【請求項１２】
上記第１の測定具片に対して上記第２の測定具片を固定解除操作可能に固定することができる第１の固定手段と、上記第１または第２の測定具片に対して上記第３の測定具片を固定解除操作可能に固定することができる第２の固定手段とを備えていることを特徴とする請求項１０または１１に記載の頭部サイズ測定具。
【発明の詳細な説明】
【技術分野】
【０００１】
本発明は、フルフェイス型ヘルメットなどのヘルメットのサイズの種類およびパッドの形態を選定する方法に関するものである。また、本発明は、上記選定方法を用いてヘルメットのサイズを調整する方法にも関するものである。さらに、本発明は、上記選定方法に用いる頭部サイズ測定具にも関するものである。
【背景技術】
【０００２】
ヘルメットのサイズとしては、一般的に、ＸＳサイズ（５３〜５４ｃｍ）、Ｓサイズ（５５〜５６ｃｍ）、Ｍサイズ（５７〜５８ｃｍ）、Ｌサイズ（５９〜６０ｃｍ）、ＸＬサイズ（６１〜６２ｃｍ）およびＸＸＬサイズ（６３〜６４ｃｍ）の６種類が知られている。なお、上記数値は、ヘルメット着用者の頭部の周囲長サイズを示すものである。そして、これら６種類のサイズのヘルメットは、その頭部収容空間の頭部周囲長に対応する部分が互いにほぼ相似するほぼ楕円形状になっている。
【０００３】
ヘルメットを販売しているヘルメット販売店では、ヘルメットを着用する予定のヘルメット着用予定者などのヘルメット購入予定者にヘルメットを販売する場合、ヘルメット購入予定者が申し出るサイズのヘルメットをこのヘルメット購入予定者に販売するか、あるいは、ヘルメット着用予定者の頭部の周囲長サイズを巻尺などで実測し、この実測値に対応した巻尺上の適合サイズ表示から適合サイズの種類を選定し、この選定した種類のサイズのヘルメットを販売するようにしている。
【０００４】
また、特許文献１には、ヘルメットのサイズの種類およびパッドの形態をコンピュータを用いて選定する方法が開示されている。そして、特許文献１には、上記選定方法を用いてヘルメットのサイズを調整する方法も開示されている。さらに、特許文献１には、ヘルメット着用予定者の頭部の前後長サイズおよび左右幅サイズを実測するのに用いられる頭部サイズ測定具も開示されている。
【０００５】
具体的には、特許文献１の上記頭部サイズ測定具においては、ほぼ逆Ｌ字形状の第１の測定具片に対してほぼ逆Ｌ字形状の第２の測定具片を往復動させることによって、ヘルメット着用予定者の頭部の前後長サイズおよび左右幅サイズを実測するようにしている。そして、特許文献１の上記選定方法においては、上記ヘルメットサイズの種類と上記パッドの形態との選定に必要なプログラムを利用することができるコンピュータにヘルメット着用予定者の頭部の前後長サイズおよび左右幅サイズをデータとしてそれぞれ入力することと、上記プログラムを用いて上記前後長サイズおよび上記左右幅サイズをデータ処理することによって、上記ヘルメット着用予定者にそれぞれ適合する上記ヘルメットサイズの種類および上記パッドの形態をそれぞれ選定することとを行うようにしている。さらに、特許文献１の上記調整方法においては、特許文献１の上記選定方法において選定された選定結果を用いてヘルメットのサイズを調整するようにしている。
【先行技術文献】
【特許文献】
【０００６】
【特許文献１】特開２００４−３０１５２３号公報
【発明の概要】
【発明が解決しようとする課題】
【０００７】
しかし、特許文献１の頭部サイズ測定具によっては、本発明の後述の第１の観点において用いられる必要があるヘルメット着用予定者の頭部の上頭部高さサイズを実測することを仮に考えたとしても、この上頭部高さサイズを正確に実測することは、きわめて困難である。
【０００８】
また、特許文献１のヘルメットサイズの種類およびパッドの形態の選定方法においては、本発明の後述の第１の観点におけるようにヘルメット着用予定者の頭部の上頭部高さサイズを実測することは、全く考えられていない。このために、選定されたヘルメットサイズの種類や選定されたパッドの形態が、上頭部高さサイズの個人差のために、ヘルメット着用予定者の頭部に十分には適合しないおそれがある。
【０００９】
さらに、特許文献１のヘルメットサイズの種類およびパッドの形態の選定方法においては、本発明の後述の第２の観点におけるようにヘルメット着用予定者の頭部の左右ほほ前幅サイズおよび左右ほほ後幅サイズを実測することは、全く考えられていない。このために、左側および右側のチークパッドの選定の際には、標準サイズのチークパッドを実装したヘルメットをヘルメット着用予定者に着用させてから、実装されたチークパッドのサイズの適合状態をヘルメット着用予定者から聞き出すようにしている。そして、実装されたチークパッドのサイズがヘルメット着用予定者に適合していない場合には、サイズの異なるチークパッドをヘルメットに実装し直してから、ヘルメット着用予定者に上記適合状態を聞き出すことを繰り返すようにしている。したがって、チークパッドの選定に手間が掛かるとともに、チークパッドについての客観的な適合状態を得ることができない場合が生じる。
【００１０】
本発明は、上述のような従来の方法の欠点を比較的簡単な構成によって効果的に是正し得るようにしたものである。
【課題を解決するための手段】
【００１１】
本発明は、その第１の観点においては、ヘルメットのサイズの種類およびパッドの形態を選定する方法であって、上記ヘルメットサイズの種類と上記パッドの形態との選定に必要なプログラムを利用することができるコンピュータにヘルメット着用者の頭部の前後長サイズおよび左右幅サイズをデータとしてそれぞれ入力する工程と、上記プログラムを用いて上記前後長サイズおよび上記左右幅サイズをデータ処理することによって、上記ヘルメット着用者にそれぞれ適合する上記ヘルメットサイズの種類および上記パッドの形態をそれぞれ選定する工程とを備えている選定方法において、上記ヘルメット着用者の頭部の上頭部高さサイズを上記コンピュータにデータとして入力する工程と、上記プログラムを用いて上記上頭部高さサイズをデータ処理することによって、上記ヘルメット着用者に適合する頭頂部付近のパッドの形態を選定する工程とをさらに備えていることを特徴とする選定方法に係るものである。
【００１２】
そして、本発明の第１の観点の第１の態様においては、上記頭頂部付近のパッドの形態の選定は、センターパッドの頭頂部付近を頭頂部用追加パッドによって調整することが必要であるかあるいは不要であるかの選定を含んでいる。また、本発明は、その第１の観点の第２の態様においては、上記ヘルメット着用者の頭部の左右ほほ前幅サイズ（この左右ほほ前幅サイズは、上記頭部の左側のほほ骨の出っ張り部分付近と、上記頭部の右側のほほ骨の出っ張り部分付近との間隔を意味している。）および左右ほほ後幅サイズ（この左右ほほ後幅サイズは、上記頭部の左側のほほ部のうちの左側の耳たぶの下端から少し前方の部分付近と、上記頭部の右側のほほ部のうちの右側の耳たぶの下端から少し前方の部分付近との間隔を意味している。）のそれぞれを上記コンピュータにデータとして入力する工程と、上記プログラムを用いて上記左右ほほ前幅サイズおよび上記左右ほほ後幅サイズをデータ処理することによって、上記ヘルメット着用者に適合するチークパッドの形態を選定する工程とをさらに備えている。
【００１３】
本発明は、その第２の観点においては、ヘルメットのサイズの種類およびパッドの形態を選定する方法であって、上記ヘルメットサイズの種類と上記パッドの形態との選定に必要なプログラムを利用することができるコンピュータにヘルメット着用者の頭部の前後長サイズおよび左右幅サイズをデータとしてそれぞれ入力する工程と、上記プログラムを用いて上記前後長サイズおよび上記左右幅サイズをデータ処理することによって、上記ヘルメット着用者にそれぞれ適合する上記ヘルメットサイズの種類および上記パッドの形態をそれぞれ選定する工程とを備えている選定方法において、上記ヘルメット着用者の頭部の左右ほほ前幅サイズ（この左右ほほ前幅サイズは、上記頭部の左側のほほ骨の出っ張り部分付近と、上記頭部の右側のほほ骨の出っ張り部分付近との間隔を意味している。）および左右ほほ後幅サイズ（この左右ほほ後幅サイズは、上記頭部の左側のほほ部のうちの左側の耳たぶの下端から少し前方の部分付近と、上記頭部の右側のほほ部のうちの右側の耳たぶの下端から少し前方の部分付近との間隔を意味している。）のそれぞれを上記コンピュータにデータとして入力する工程と、上記プログラムを用いて上記左右ほほ前幅サイズおよび上記左右ほほ後幅サイズをデータ処理することによって、上記ヘルメット着用者に適合するチークパッドの形態を選定する工程とをさらに備えていることを特徴とする選定方法に係るものである。
【００１４】
そして、本発明の第１の観点の第３の態様および第２の観点の第１の態様においては、上記チークパッドの形態の選定は、厚みが互いに相違している複数種類のチークパッドのうちから、上記ヘルメット着用者に適合するチークパッドを選定することを含んでいる。また、本発明は、その第１の観点の第４の態様および第２の観点の第２の態様においては、上記ヘルメットサイズの選定された種類と上記パッドの選定された形態とをそれぞれ表示する工程をさらに備えている。さらに、本発明の第１の観点の第５の態様および第２の観点の第３の態様においては、上記ヘルメット着用者に適合する上記パッドの形態の選定は、前側追加パッド、後側追加パッド、左側追加パッドおよび右側追加パッドのうちの少なくとも１つの追加パッドによるセンターパッドの調整が必要であるかあるいは不要であるかの選定を含んでいる。
【００１５】
そして、本発明は、その第３の観点においては、上記第１の観点における選定方法を用いてヘルメットのサイズを調整する方法において、上記選定されたパッドの形態に基づいて、少なくとも１種類の追加パッドを上記センターパッドに配置することを特徴とする調整方法に係るものである。また、本発明は、その第４の観点においては、上記第２の観点における選定方法を用いてヘルメットサイズを調整する方法において、上記選定されたチークパッドの形態に基づいて、複数種類のチークパッドのうちのいずれか１種類のチークパッドを上記ヘルメットの内部に配置することを特徴とする調整方法に係るものである。
【００１６】
さらに、本発明は、その第５の観点においては、上記第１の観点における選定方法に用いる頭部サイズ測定具であって、ヘルメット着用者の頭部の前後長サイズ、左右幅サイズおよび上頭部高さサイズを少なくとも測定することができる頭部サイズ測定具において、第１の測定具片と、この第１の測定具片に対して相対的に往復動可能である第２の測定具片と、上記第１または第２の測定具片に対して相対的に往復動可能である第３の測定具片とを備え、上記第１の測定具片を上記頭部の前側面または後側面に当接させるとともに上記第２の測定具片を上記頭部の後側面または前側面に当接させた第１の当接状態において、上記第１の測定具片に対する上記第２の測定具片の相対的な往復動位置によって、上記前後長サイズを測定し得るように構成し、上記第１の測定具片を上記頭部の左側面または右側面に当接させるとともに上記第２の測定具片を上記頭部の右側面または左側面に当接させた第２の当接状態において、上記第１の測定具片に対する上記第２の測定具片の相対的な往復動位置によって、上記左右幅サイズを測定し得るように構成し、上記第１および第２の測定具片の上記第２の当接状態において上記第３の測定具片を上記頭部の頭頂部に当接させた第３の当接状態において、上記第１または第２の測定具片に対する上記第３の測定具片の相対的な往復動位置によって、上記上頭部高さサイズを測定し得るように構成したことを特徴とする頭部サイズ測定具に係るものである。
【００１７】
そして、本発明は、その第５の観点の第１の態様においては、上記第１および第２の測定具片のうちの一方に第１の長さ目盛が設けられ、上記第１および第２の測定具片のうちの他方に、上記第１の長さ目盛に対応した第１の指針が設けられ、上記第１または第２の測定具片と上記第３の測定具片とのうちの一方に第２の長さ目盛が設けられ、上記第１または第２の測定具片と上記第３の測定具片とのうちの他方に、上記第２の長さ目盛に対応した第２の指針が設けられている。また、本発明は、その第５の観点の第２の態様においては、上記第１の測定具片に対して上記第２の測定具片を固定解除操作可能に固定することができる第１の固定手段と、上記第１または第２の測定具片に対して上記第３の測定具片を固定解除操作可能に固定することができる第２の固定手段とを備えている。
【発明の効果】
【００１８】
請求項１、２、６および７に記載の発明によれば、ヘルメット着用者の頭部の前後長サイズおよび左右幅サイズにそれぞれ適合した種類のヘルメットサイズを容易に選定することができるとともに、ヘルメット着用者の頭部の上頭部高さサイズに適合した頭頂部付近のパッドの形態も容易に選定することができる。さらに、請求項３および５に記載の発明によれば、ヘルメット着用者の頭部の左右ほほ前幅サイズおよび左右ほほ後幅サイズにそれぞれ適合したチークパッドの形態も容易に選定することができる。
【００１９】
また、請求項４、５、６および７に記載の発明によれば、ヘルメット着用者の頭部の前後長サイズおよび左右幅サイズにそれぞれ適合した種類のヘルメットサイズを容易に選定することができるとともに、ヘルメット着用者の頭部の左右ほほ前幅サイズおよび左右ほほ後幅サイズにそれぞれ適合したチークパッドの形態も容易に選定することができる。
【００２０】
また、請求項８に記載の発明によれば、選定されたパッドの形態に適合したセンターパッドの調整を容易に行うことができる。さらに、請求項９に記載の発明によれば、選定されたチークパッドの形態に適合したチークパッドの調整を容易に行うことができる。
【００２１】
また、請求項１０に記載の発明によれば、ヘルメット着用者の頭部の前後長サイズ、左右幅サイズおよび上頭部高さサイズのそれぞれを比較的簡単な操作でもって確実に実測することができる。
【図面の簡単な説明】
【００２２】
【図１】本発明をフルフェイス型ヘルメットのサイズの種類およびパッドの形態を選定しこの選定した種類のヘルメットサイズを必要に応じて調整する方法に適用した一実施例に用いられるヘルメットサイズ診断結果を示すパソコン画面である。（実施例１）
【図２】図１の診断結果表示欄に表示させるための前後長サイズおよび左右幅サイズに関するＸＳサイズ、ＳサイズおよびＭサイズの概略的な調整データ表である。（実施例１）
【図３】図１の診断結果表示欄に表示させるための前後長サイズおよび左右幅サイズに関するＬサイズ、ＸＬサイズおよびＸＸＬサイズの概略的な調整データ表である。（実施例１）
【図４】図２および図３の調整データ表を単一の表にまとめて示す概略的な仮想の調整データ表である。（実施例１）
【図５】図１の診断結果表示欄に表示させるための上頭部高さサイズに関するＸＳサイズ、Ｓサイズ、Ｍサイズ、Ｌサイズ、ＸＬサイズおよびＸＸＬサイズの概略的な調整データ表である。（実施例１）
【図６】図１の診断結果表示欄に表示させるための左右ほほ前幅サイズおよび左右ほほ後幅サイズに関するＸＳサイズ、ＳサイズおよびＭサイズの概略的な調整データ表である。（実施例１）
【図７】図１の診断結果表示欄に表示させるための左右ほほ前幅サイズおよび左右ほほ後幅サイズに関するＬサイズ、ＸＬサイズおよびＸＸＬサイズの概略的な調整データ表である。（実施例１）
【図８】図１の各種の数値入力欄に入力する数値を測定するための頭部サイズ測定器を用いて前後長サイズを測定する状態を示す左側面図である。（実施例１）
【図９】図８の頭部サイズ測定器を用いて左右幅サイズを測定する状態を示す正面図である。（実施例１）
【図１０】図８の頭部サイズ測定器を用いて上頭部高さサイズを測定する状態を示す正面図である。（実施例１）
【図１１】図１０の測定状態における右側面図である。（実施例１）
【図１２】左右ほほ前幅サイズおよび左右ほほ後幅サイズの測定箇所と、左右ほほ前幅サイズおよび左右ほほ後幅サイズを測定する際の図８の頭部サイズ測定器との関係を示す斜視図である。（実施例１）
【図１３】図８の頭部サイズ測定器を斜め上方から見た分解斜視図である。（実施例１）
【図１４】図８の頭部サイズ測定器を斜め下方から見た分解斜視図である。（実施例１）
【図１５】図１のヘルメットサイズ診断結果に基づいて各種の内装パッドが装着されているヘルメットの底面と、このヘルメットにそれぞれ装着される各種の内装パッドおよび各種の追加パッドの装着前の状態とを示す図である。（実施例１）
【発明を実施するための形態】
【００２３】
つぎに、本発明をフルフェイス型ヘルメットのサイズの適合する種類を選定しこの選定した種類のサイズのヘルメットについて必要に応じてサイズ調整する方法に適用した一実施例を、「１．頭部サイズ測定具の構成」、「２．頭部サイズの測定」および「３．頭部サイズの実測値に基づくヘルメットサイズの種類およびパッドの選定」に項分けして、図面を参照しつつ順次説明する。
【００２４】
１．頭部サイズ測定具の構成
【００２５】
頭部サイズ測定具１は、図８〜図１４に示すように、ほぼ逆Ｌ字状にそれぞれ構成された３種類の測定具片２、３、４を備えている。そして、第１の測定具片２と第２の測定具片３とは、互いに摺動可能に構成されている。また、第２の測定具片３が第１の測定具片２に対して最大伸長状態になったときには、これら第１および第２の測定具片２、３が全体としてほぼ倒立Ｕ字形状になるように構成されている。なお、これら３種類の測定具片２、３、４は、透明または半透明のプラスチック材料などから構成されているのが好ましい。
【００２６】
具体的には、第１の測定具片２は、図１３および図１４に示すように、上板部５と側板部６とからほぼ逆Ｌ字形状に構成されている。そして、上板部５には、その長さ方向に沿ってこの上板部５の中央部分を延在している貫通孔としてのガイド用スリット１１が形成されている。また、上板部５の上面には、ガイド用スリット１１の両側に位置するように、上板部５の両端部に沿ってそれぞれ延在している一対の長さ目盛板１２ａ、１２ｂが配設されている。さらに、上板部５の下面には、ガイド用スリット１１の両側に位置するように、上板部５の両側部に沿ってそれぞれ延在している一対のガイドレール部１３ａ、１３ｂが配設されている。そして、上板部２２の上面には、これら一対のガイドレール部１３ａ、１３ｂがそれぞれ当接している。また、側板部６のほぼ中央上部には、貫通孔としての逃げ穴１４が形成されている。さらに、上板部５の基部内側面と側板部６の上部内側面との相互の交差部位には、ほぼ直角三角形状であってよい一対の補強用当て板１５が配設されている。そして、側板部６の下端部の内側面には欠如部が設けられているので、上記下端部には、段差部１６および肉薄部１７がそれぞれ形成されている。また、側板部６の外側面には、板厚方向において段差部１６にほぼ対向するように、測定用の基準線２１が形成されている。なお、肉薄部１７の上下長さは、例えば、ほぼ２ｃｍであってよい。そして、この肉薄部１７の上下長さは、実用性の観点から見て一般的に、１〜３ｃｍの範囲であるのが好ましく、１．５〜２．５ｃｍの範囲であるのがさらに好ましい。
【００２７】
第２の測定具片３は、図１３および図１４に示すように、上板部２２と側板部２３とからほぼ逆Ｌ字形状に構成されている。そして、上板部２２には、その長さ方向に沿ってこの上板部２２のほぼ中央部分を順次延在している一対のガイド用突起部２４、２５が配設されている。なお、これら一対のガイド用突起部２４、２５は、第１の測定具片２のガイド用スリット１１にそれぞれ嵌合している。したがって、第２の測定具片３は、ガイド用突起部２４、２５がガイド用スリット１１内をこのスリット１１の長さ方向に摺動することによって、第１の測定具片２に対して相対的に往復動することができる。
【００２８】
ガイド用突起部２４には、このガイド用突起部２４の上面にそれぞれ開口している一対のねじ穴２６、２７が形成されている。そして、上板部２２には、一対のガイド用突起部２４、２５の間において、貫通孔としてのねじ穴３１が形成されている。また、一対のガイド用突起部２４、２５がガイド用スリット１１に嵌合している状態（以下、「上記第１嵌合状態」という。）においては、ガイド用突起部２４、２５のそれぞれの上面が上板部５の上面とほぼ面一になっている。そして、上記第１嵌合状態において、スペーサ用ワッシャ３２、３３がガイド用突起部２４の上面に当接されてから、これらのワッシャ３２、３３上に指針板３４が当接される。また、この指針板３４の上面には、一対の長さ目盛板１２ａ、１２ｂのための一対の指針３５ａ、３５ｂがそれぞれ配設されている。さらに、指針板３４には、一対のねじ穴２６、２７にほぼ上下方向においてそれぞれ対応している一対のねじ挿通孔３６、３７が配設されている。そして、一対のねじ４１、４２が、一対のねじ挿通孔３６、３７および一対のスペーサ用ワッシャ３２、３３をそれぞれ介して、一対のねじ穴２６、２７にそれぞれねじ込まれている。したがって、指針板３４は、一対のスペーサ用ワッシャ３２、３３の厚みにほぼ対応する距離だけガイド用突起部２４に対して浮き上がった状態でもって、ガイド用突起部２４に取り付け固定されている。さらに、固定ねじ４３が、径の比較的大きいワッシャ４４およびガイド用スリット１１をそれぞれ介してねじ穴３１にねじ込まれている。したがって、このワッシャ４４は、上板部５の上面に当接している。なお、固定ねじ４３を十分にねじ込んだときには、ワッシャ４４が上板部５の上面に強く押し付けられるので、第２の測定具片３が第１の測定具片２に固定されて、この第１の測定具片２に対する第２の測定具片３の相対的な摺動が阻止される。
【００２９】
第２の測定具片３の側板部２３には、その長さ方向に沿ってこの側板部２３の中央部分を延在している貫通孔としてのガイド用スリット５１が形成されている。そして、側板部２３の外側面には、上記ガイド用スリット５１の両側に位置するように、側板部２３の両端部に沿ってそれぞれ延在している一対の長さ目盛板５２ａ、５２ｂが配設されている。また、側板部２３の基部内側面と上板部２２の上部内側面との相互の交差部位には、ほぼ直角三角形状であってよい一対の補強用当て板５３が配設されている。さらに、側板部２３の下端部の内側面には欠如部が設けられているので、上記下端部には、段差部５４および肉薄部５５がそれぞれ形成されている。そして、側板部２３の外側面には、板厚方向において段差部５４にほぼ対向するように、測定用の基準線５６が形成されている。なお、肉薄部５５の上下長さは、例えばほぼ２ｃｍであってよい。そして、この肉薄部５５の上下長さは、実用性の観点から見て一般的に、１〜３ｃｍの範囲であるのが好ましく、１．５〜２．５ｃｍの範囲であるのがさらに好ましい。
【００３０】
第３の測定具片４は、図１３および図１４に示すように、上板部６１と側板部６２とからほぼ逆Ｌ字形状に構成されている。そして、上板部６１のうちの長さ方向における先端部側のほぼ半分の長さの部分は、第１の測定具片２の逃げ穴１４に挿通され得る幅狭部６３になっている。また、側板部６２には、その上下方向に沿ってこの側板部６２のほぼ中央部分を延在しているガイド用突起部６４が配設されている。なお、このガイド用突起部６４は、第２の測定具片３のガイド用スリット５１に嵌合している。さらに、側板部６２の両側端部には、この側板部６２に対してほぼ直交するように外側に向かってそれぞれ突出している一対の突壁部６５ａ、６５ｂが配設されている。そして、側板部２３が一対の突壁部６５ａ、６５ｂの間に嵌合している。したがって、第３の測定具片４は、ガイド用突起部６４がガイド用スリット５１内をこのスリット５１の長さ方向（換言すれば、上下方向）に相対的に摺動することによって、第２の測定具片３に対して相対的に往復動することができる。そして、この往復動時には、側板部２３の両側端部は、一対の突壁部６５ａ、６５ｂのうちの互いに対向する一対の面に当接した状態でもって、これら一対の面に対して相対的に摺動する。
【００３１】
ガイド用突起部６４には、このガイド用突起部２４の側面にそれぞれ開口している一対のねじ穴７１、７２が形成されている。そして、側板部６２には、ガイド用突起部６４の下方において、貫通孔としてのねじ穴７３が形成されている。また、ガイド用突起部６４がガイド用スリット５１に嵌合している状態（以下、「上記第２嵌合状態」という。）においては、ガイド用突起部６４の外側面（具体的には、側板部２３とは反対側の面）が側板部２３の外側面とほぼ面一になっている。そして、上記第２嵌合状態において、スペーサ用ワッシャ８１、８２がガイド用突起部６４の側面に当接されてから、これらのワッシャ８１、８２上に指針板８３が当接する。また、この指針板８３の外側面には、一対の長さ目盛板５２ａ、５２ｂのための一対の指針８４ａ、８４ｂがそれぞれ配設されている。さらに、指針板８３には、一対のねじ穴７１、７２にほぼ水平方向においてそれぞれ対応している一対のねじ挿通孔８５、８６が配設されている。そして、一対のねじ８７、８８が、一対のねじ挿通孔８５、８６および一対のスペーサ用ワッシャ８１、８２をそれぞれ介して、一対のねじ穴７１、７２にそれぞれねじ込まれている。したがって、指針板８３は、一対のスペーサ用ワッシャ８１、８２の厚みにほぼ対応する距離だけガイド用突起部６４に対して浮き上がった状態でもって、ガイド用突起部６４に取り付け固定されている。さらに、固定ねじ９１が、径の比較的大きいワッシャ９２およびガイド用スリット５１をそれぞれ介して、ねじ穴７３にねじ込まれている。したがって、このワッシャ９２は、側板部２３の外側面に当接している。なお、固定ねじ９１を十分にねじ込んだときには、ワッシャ９２が側板部２３の外側面に強く押し付けられるので、第３の測定具片４が第２の測定具片３に固定されて、この第２の測定具片２に対する第３の測定具片４の相対的な摺動が阻止される。
【００３２】
２．頭部サイズの測定
【００３３】
つぎに、図１３および図１４に示す頭部サイズ測定具１を用いて、ヘルメット着用者９３の頭部９４についてのつぎの（ａ）項〜（ｅ）項に記載のサイズを実測する工程を図８〜図１２を参照しつつ説明する：
（ａ）前後長サイズ（Ｘ）、
（ｂ）左右幅サイズ（Ｙ）、
（ｃ）上頭部高さサイズ（Ｚ）、
（ｄ）左右ほほ前幅サイズ（Ｌ１）、および
（ｅ）左右ほほ後幅サイズ（Ｌ２）。
【００３４】
（ａ）前後長サイズ（Ｘ）の実測工程
【００３５】
まず、図８に示す前後長サイズ（Ｘ）の実測工程について説明すると、頭部サイズ測定具１の固定用ねじ４３をねじ戻してから、第１および第２の測定具片２、３の一対の側板部６、２３の間隔をヘルメット着用者９３の頭部９４の前後長サイズ（Ｘ）よりも多少大きくする。ついで、一対の側板部６、２３の間隔が頭部９４の前頭部から後頭部までの長さのうちの所定の間隔に対応するように（すなわち、図８に示すように）、頭部サイズ測定具１を頭部９４にセットする。なお、上記所定の間隔とは、例えば、ヘルメット着用者９３の眉間９５（図１２参照）の中心からほぼ１ｃｍ上方の部位付近と、後頭骨のほぼ中央に存在している出っ張り部分９６の中心付近との間隔（Ｘ）を意味している。そして、上記上方の部位付近は、上下方向においては、実用性の観点から見て一般的に、ヘルメット着用者９３の眉間９５の中心から０．５〜３ｃｍの範囲でもって上方にずれて存在する部位であるのが好ましく、０．７５〜２．５ｃｍの範囲でもって上方にずれて存在する部位であるのがさらに好ましい。また、上記上方の部位付近は、左右方向においては、実用性の観点から見て一般的に、ヘルメット着用者９３の眉間９５の中心から０〜１．５ｃｍの範囲でもって左側または右側の方向にずれて存在する部位であるのが好ましく、０〜１ｃｍの範囲でもって左側または右側にずれて存在する部位であるのがさらに好ましい。さらに、上記出っ張り部分９６の中心付近は、上下方向においては、実用性の観点から見て一般的に、出っ張り部分９６の中心から下方に向かって０．５ｃｍで上方に向かって２ｃｍの範囲でもって存在する部位であるのが好ましく、出っ張り部分９６の中心から下方に向かって０．２５ｃｍで上方に向かって１．５ｃｍの範囲でもって存在する部位であるのがさらに好ましい。なお、本文において、「ヘルメット着用者９３」とは、ヘルメット１０１（図１５参照）を購入して使用することを希望している者などのように、ヘルメットを少なくとも将来着用する可能性のある者を含んでいる。
【００３６】
この実測の際には、測定者（この測定者は、ヘルメット着用者９３自身であってもよい。）は、一方の手で第１の測定具片２を掴んだ状態において、第１の測定具片２を頭部９４に対して位置固定させる。この場合、上記測定者は、第１の測定具片２の段差部１６（換言すれば、基準線２１）をヘルメット着用者９３の眉間９５の中心からほぼ１ｃｍ上方の部位付近（または出っ張り部分９６の中心付近）にほぼ対応させる。これとともに、上記測定者は、他方の手で第２の測定具片３を掴んだ状態において、この第２の測定具片３の側板部２３をその外側面から第１の測定具片２の側板部６側に向かって押圧して、第２の測定具片３を頭部９４に対して位置固定させる。この場合、上記測定者は、第２の測定具片３の段差部５４（換言すれば、基準線５６）をヘルメット着用者９３の出っ張り部分９６の中心付近（または眉間９５の中心からほぼ１ｃｍ上方の部位）にほぼ対応させる。なお、図８は、上述のような前後長寸法（Ｘ）の実測時の状態に至る過程の状態を示している。
【００３７】
ついで、上記測定者が固定用ねじ４３をねじ込むと、第１および第２の測定具片２、３は互いに摺動し得ない固定状態になる。したがって、頭部サイズ測定具１を頭部９４に取り付けたままでまたは頭部９４から取り外した後に、指針３５ａまたは３５ｂが指示している長さ目盛１２ａまたは１２ｂの数値を頭部９４の前後長サイズ（Ｘ）の実測値として読み取ればよい。したがって、この前後長サイズ（Ｘ）は、頭部９４の前頭部から後頭部までの間隔（換言すれば、長さ）を実質的に意味している。
【００３８】
（ｂ）左右幅サイズ（Ｙ）の実測工程
【００３９】
つぎに、図９に示す左右幅サイズ（Ｙ）の実測工程について説明すると、頭部サイズ測定具１の固定用ねじ４３をねじ戻してから、第１および第２の測定具片２、３の一対の側板部６、２３の間隔をヘルメット着用者９３の頭部９４の左右幅サイズよりも多少大きくする。ついで、一対の側板部６、２３の間隔が頭部９４の左側頭部から右側頭部までの長さのうちの所定の間隔に対応するように（すなわち、図９に示すように）、頭部サイズ測定具１を頭部９４にセットする。なお、上記所定の間隔とは、例えば、ヘルメット着用者９３の左側頭部のうちの左耳１０２の付け根部分の上端からほぼ２ｃｍ上方の部位付近１０８と、ヘルメット着用者９３の右耳１０３の付け根部分の上端からほぼ２ｃｍ上方の部位付近１０９との間隔（Ｙ）を意味している。そして、上記上方の部位付近１０８、１０９は、上下方向においては、実用性の観点から見て一般的に、左耳１０２または右耳１０３の付け根部分の上端から０〜４ｃｍの範囲でもって上方にずれて存在する部位であるのが好ましく、１〜３ｃｍの範囲でもって上方にずれて存在する部位であるのがさらに好ましい。また、上記上方の部位付近１０８、１０９は、左右方向においては、実用性の観点から見て一般的に、左耳１０２または右耳１０３の付け根部分の上端から０〜３ｃｍの範囲でもって左側または右側にずれて存在する部位であるのが好ましく、０〜２ｃｍの範囲でもって左側または右側にずれて存在する部位であるのがさらに好ましい。
【００４０】
上述の場合にも、前項（すなわち、「（ａ）前後長サイズ（Ｘ）の実測工程」の項）に記載したのと同様にして、第１の測定具片２に対する第２の測定具片３の相対的な摺動および固定を行えばよい。そして、図９は、上述のような左右幅サイズ（Ｙ）の実測時の状態を示している。したがって、この左右幅サイズ（Ｙ）は、頭部の左側頭部と右側頭部との間隔（換言すれば、長さ）を実質的に意味している。なお、肉薄部１７、５５を形成するための欠如部が存在するために、この実測時には、図９に示すように、肉薄部１７、５５と頭部９４との間に間隙１０４が形成される。このために、上記実測の邪魔にならないように、ヘルメット着用者９３の頭髪の一部をこれらの間隙１０４に収容させることができる。
【００４１】
（ｃ）上頭部高さサイズ（Ｚ）の実測工程
【００４２】
つぎに、図１０および図１１に示す上頭部高さサイズ（Ｚ）の実測工程について説明すると、図９に示す左右幅サイズ（Ｙ）の実測工程における状態と実質的に同一の状態において、まず、固定用ねじ９１をねじ戻す。なお、このねじ戻しによって、第３の測定具片４が第２の測定具片３に対してほぼ上下方向に摺動可能になる。ついで、上記測定者は、第３の測定具片４を第２の測定具片３に対してほぼ下方に摺動させることによって、この第３の測定具片４の上板部６１の下面をヘルメット着用者９３の頭頂部１０５付近に押し当てて、第３の測定具片４を頭部９４に対して位置固定させる。
【００４３】
ついで、上記測定者が固定用ねじ９１をねじ込むと、第３の測定具片４は、第２の測定具片３に対して摺動し得ない固定状態になる。したがって、頭部サイズ測定具１を頭部９４に取り付けたままで、または、頭部９４から取り外した後に、図１１に示すように、指針８４ａまたは８４ｂが指示している長さ目盛板５２ａまたは５２ｂの数値を頭部９４の上頭部高さサイズ（Ｚ）として読み取ればよい。したがって、この上頭部高さサイズ（Ｚ）とは、頭部９４を上半分と下半分とに大よそ２分割したときの上記上半分の高さ（換言すれば、ほぼ上下方向における長さ）を意味している。なお、上記上半分は、好ましくは、頭部のほぼ上下方向における長さの３０〜４５％（さらに好ましくは、３５〜４０％）の長さを意味している。そして、前項（すなわち、「（ｂ）左右幅サイズ（Ｙ）の実測工程」の項）において記載した４種類の数値範囲（すなわち、０〜４ｃｍ、１〜３ｃｍ、０〜３ｃｍおよび０〜２ｃｍの数値範囲）は、この項（すなわち、「（ｃ）上頭部高さサイズ（Ｚ）の実測工程」の項）においても同様に該当する。
【００４４】
（ｄ）左右ほほ前幅サイズ（Ｌ１）の実測工程
【００４５】
つぎに、図１２に示す左右ほほ前幅サイズ（Ｌ１）の実測工程について説明すると、頭部サイズ測定具１の固定用ねじ４３をねじ戻してから、第１および第２の測定具片２、３の一対の側板部６、２３の間隔をヘルメット着用者９３の頭部９４の左右ほほ前幅サイズよりも多少大きくする。ついで、一対の側板部６、２３の間隔が頭部９４の左側のほほ部の上部付近から右側のほほ部の上部付近までの長さのうちの所定の間隔（すなわち、図１２の左右ほほ前幅サイズ（Ｌ１））に対応するように、頭部サイズ測定具１を頭部９４にセットする。なお、上記所定の間隔とは、例えば、ヘルメット着用者９３の頭部９４の左側のほほ骨の出っ張り部分付近（具体的には、この左側のほほ骨のうちの左目の目尻から少し下方の部分付近の出っ張り部分付近であって、左側のほほ前の部分付近）１０６と、右側のほほ骨の出っ張り部分付近（具体的には、この右側のほほ骨のうちの右目の目尻から少し下方の部分の出っ張り部分付近であって、右側のほほ前の部分付近）１０７との間隔（Ｌ１）を意味している。そして、上記左側および右側のほほ前の部分付近のそれぞれは、左側および右側の上記出っ張り部分の頂点を中心とする半径２ｃｍの仮想の円で囲まれた領域に含まれているのが好ましく、左側および右側の上記出っ張り部分の頂点を中心とする半径１ｃｍの仮想の円で囲まれる領域に含まれているのがさらに好ましい。
【００４６】
上述の場合にも、前記「（ａ）前後長サイズ（Ｘ）の実測工程」の項に記載したのと同様にして、第１の測定具片２に対する第２の測定具片３の相対的な摺動および固定を行えばよい。そして、図１２には、上述のような左右ほほ前幅サイズ（Ｌ１）を実測すべき間隔（すなわち、左側のほほ骨の出っ張り部分１０６と、右側のほほ骨の出っ張り部分１０７との間隔）が示されている。したがって、この左右ほほ前幅サイズ（Ｌ１）は、ヘルメット着用者９３の頭部９４のうちの左側のほほ部の上部の前端部付近から右側のほほ部の上部の前端部付近までの左右幅のサイズを意味している。換言すれば、上記左右ほほ前幅サイズ（Ｌ１）は、頭部９４のうちの左右両側の目から下方の部分における頭部９４の最大左右幅サイズを実質的に意味している。
【００４７】
（ｅ）左右ほほ後幅サイズ（Ｌ２）の実測工程
【００４８】
つぎに、図１２に示す左右ほほ後幅サイズ（Ｌ２）の実測工程について説明すると、前項（すなわち、「（ｄ）左右ほほ前幅サイズ（Ｌ１）の実測工程」の項）に記載したのと同様にして、頭部サイズ測定具１を頭部９４にセットする。この場合、一対の側板部６、２３の間隔が頭部９４の左側のほほ部のうちの左側の耳たぶ１１１の下端（図８参照）から少し前方の部分付近（すなわち、左側のほほ後の部分付近であって、下顎骨の左側の先端部よりも多少下方の部分−以下同じ）１１３（図８参照）から右側のほほ部のうちの右側の耳たぶ１１２の下端から少し前方の部分付近（すなわち、右側のほほ後の部分付近）１１４までの長さ（すなわち、図１２の左右ほほ後幅サイズ（Ｌ２））に対応するように、頭部サイズ測定具１を頭部９４にセットする。そして、上記左側および右側のほほ後の部分付近のそれぞれは、左耳１０２または右耳１０３の外耳道の外側端の中心から３ｃｍ前方の第１の地点からさらに２ｃｍ下方の第２の地点を中心とする半径２ｃｍの仮想の円で囲まれた領域に含まれているのが好ましく、上記第２の地点を中心とする半径１ｃｍの仮想の円で囲まれた領域に含まれているのがさらに好ましい。
【００４９】
上述の場合にも、前項（すなわち、「（ｄ）左右ほほ前幅サイズ（Ｌ１）の実測工程」の項）に記載したのと同様にして、第１の測定具片２に対する第２の測定具片３の相対的な摺動および固定を行えばよい。そして、図１２には、上述のような左右ほほ後幅サイズ（Ｌ２）を実測すべき間隔（すなわち、左側のほほ部のうちの左側の耳たぶ１１１から少し前方の部分付近１１３と、右側のほほ部のうちの右側の耳たぶ１１２から少し前方の部分付近１１４との間隔）が示されている。なお、左右ほほ後幅サイズ（Ｌ２）の実測に際しては、左右ほほ前幅サイズ（Ｌ１）の実測時の状態において、第１の測定具片２の上板部５側をほぼ下方に向かって移動させて、側板部６を傾斜させてから、上記実測を行えば、ほほ骨の前記出っ張り部分が実測の邪魔にならないので、上記実測を容易に行うことができる。
【００５０】
３．頭部サイズの実測値に基づくヘルメットサイズの種類およびパッドの種類の選定
【００５１】
前記第２項において実測された前後長サイズ（Ｘ）、左右幅サイズ（Ｙ）、上頭部高さサイズ（Ｚ）、左右ほほ前幅サイズ（Ｌ１）および左右ほほ幅サイズ（Ｌ２）は、それぞれが実測された時点ごとにパソコンなどのコンピュータ（図示せず−以下、単に「パソコン」という。）に順次入力されるか、あるいは、これら５種類のサイズが総て実測され終わった後にパソコンに一括して入力されることができる。なお、上記パソコンは、必要なプログラムが予めメモリされているものであるか、あるいは、インターネットなどのコンピュータネットワークを経由して上記プログラムを利用することができるものであってよい。このようなパソコンは、ヘルメット販売店に備えられているものであってもよいし、ヘルメット着用者９３が所有しているものであってもよい。
【００５２】
上記プログラムの実行時におけるパソコン上の画面は、図１に「ヘルメットサイズ診断結果」として示されている。そして、この図１の紙面の下側の端部付近には、上記５種類のサイズの実測値が表示されることができる。また、パソコン操作者（例えば、ヘルメット販売店の従業者またはヘルメット着用者９３）が操作手段としての「診断する」の操作ボタン１１５を操作すると、上記パソコンは、上記プログラムを用いて、上記５種類のサイズの実測値のうちの前後長サイズ（Ｘ）および左右幅サイズ（Ｙ）の実測値に基づいてヘルメット１０１のサイズの適合する種類を選定する。そして、この選定は、上記プログラムに含まれている６種類の調整データ表１２１、１２２、１２３、１２４、１２５および１２６（図２および図３参照）に従って行われる。
【００５３】
これら６種類の調整データ表のうちの調整データ表１２１は、ＸＳサイズ用のヘルメット１０１のためのものである。そして、調整データ表１２２は、Ｓサイズ用のヘルメット１０１のためのものである。また、調整データ表１２３は、Ｍサイズ用のヘルメット１０１のためのものである。さらに、調整データ表１２４は、Ｌサイズ用のヘルメット１０１のためのものである。そして、調整データ表１２５は、ＸＬサイズ用のヘルメット１０１のためのものである。また、調整データ表１２６は、ＸＸＬサイズ用のヘルメット１０１のためのものである。なお、これら６種類の調整データ表１２１〜１２６のそれぞれにおいて、縦軸は、前後長サイズ（Ｘ）を示している。そして、横軸は、左右幅サイズ（Ｙ）を示している。また、６種類の調整データ表１２１〜１２６における縦軸および横軸の数値の単位は、ｍｍである。
【００５４】
つぎに、頭部サイズの実測値に基づくヘルメットサイズの種類およびパッドの選定についての具体例を、「（１）第１の具体例」および「（２）第２および第３の具体例」に項分けして、図面を参照しつつ順次説明する。
【００５５】
（１）第１の具体例
【００５６】
前後長サイズ（Ｘ）および左右幅サイズ（Ｙ）のそれぞれの実測値として、１７５ｍｍおよび１５６ｍｍがそれぞれ上述のようにしてパソコンに入力されていれば、図２および図３に示す調整データ表１２１〜１２６に従って、これらの入力値の交点が含まれる調整データ表１２１に対応するＸＳサイズが適合サイズとして選定されてパソコンにメモリされる。そして、図１に示すパソコン画面におけるＸＳサイズ用の表示欄１２７のうちの上側の表示欄１２８に、「ＸＳサイズ」と表示される。また、ＸＳサイズ用の表示欄１２７のうちの下側の表示欄１２９の各項目には、例えば、つぎの（ａ）項〜（ｅ）項に記載のように表示される：
（ａ）センターパッドの項「ＸＳ５」、
（ｂ）前後の項「前／１＋ハード１  後／１＋ハード２  パッド追加」、
（ｃ）左右の項「（空欄）」、
（ｄ）頭頂部の項「（空欄）」、および
（ｅ）チークバッドの項「（空欄）」。
【００５７】
図１の下側表示欄１２９のうちの上記（ａ）項に記載の項に表示されている「ＸＳ５」とは、前後長サイズ（Ｘ）および左右幅サイズ（Ｙ）の実測値に適合するセンターパッド１３１（図１５参照）の種類を意味している。そして、図示の実施例においては、６種類のサイズのヘルメットのうちの各サイズのヘルメット１０１ごとに３種類のセンターパッド１３１のうちのいずれか１つを選定することができるようになっている。したがって、ＸＳサイズ用のセンターパッド１３１としては、ＸＳ１３、ＸＳ９およびＸＳ５の３種類がある。そして、ＸＳサイズのうちの標準仕様のヘルメット１０１には、ＸＳ９のセンターパッド１３１が用いられる。この場合には、上記（ａ）項に記載の項には、センターパッド１３１の種類が表示されないので、上記（ａ）項に記載の項は空欄になる。なお、上記ＸＳに続く数値である「１３」、「９」および「５」は、センターパッド１３１の厚みの相違をそれぞれ意味している。なお、本文において、センターパッド１３１などの「パッド」とは、衝撃吸収ライナ１３９の内側などに配置される内装パッドを意味している。
【００５８】
図１の下側表示欄１２９のうちの上記（ｂ）項に記載の項に表示されている「前／１＋ハード１  後／１＋ハード２  パッド追加」とは、図１５に示すように、上記（ａ）項に記載の項において選定されたセンターパッド１３１の前側の部分１３２および後側の部分１３３のそれぞれの厚みを調整するための指示である。そして、上記表示中の「前／」に続く「１＋ハード１」とは、標準仕様の前側の追加パッド１３４の１枚と硬め仕様の前側の追加パッド１３４の１枚とをセンターパッド１３１の前側の部分１３２に配置することを意味している。また、上記表示中の「後／」に続く「１＋ハード２」とは、標準仕様の後側の追加パッド１３５の１枚と硬め仕様の後側の追加パッド１３５の２枚とをセンターパッド１３１の後側の部分１３３に配置することを意味している。なお、上述のおよび後述の追加パッドをセンターパッド１３１に対向して配置する場合には、追加パッドは、一般的には、センターパッド１３１の外側面（換言すれば、センターパッド１３１と外側シェル１３８の内側に配置される衝撃吸収ライナ１３９との間）に配置される。そして、これらの追加パッドは、粘着剤、接着剤、粘着テープなどによって、センターパッド１３１の外側面に止着されることができる。
【００５９】
図１に示すパソコン画面には、図２および図３に示すように、Ｓサイズ用、Ｍサイズ用、Ｌサイズ用、ＸＬサイズ用およびＸＸＬサイズ用の表示欄１２７も、ＸＳサイズ用の表示欄１２７の場合と同様に、表示されることができる。そして、図１の下側表示欄１２９のうちの上記（ｃ）項に記載の項に表示されている「（空欄）」とは、左右幅サイズ（Ｙ）の実測値と上述のように選定された「ＸＳ５」のセンターパッド１３１との関係において、左右幅サイズの調整が不要であることを意味している。もしも左右幅サイズの調整が必要であれば、左側および右側の追加パッドについて、「左右  １セットパッド追加」として表示される。なお、この左右幅サイズの調整についても、標準仕様の左側および右側の追加パッドと硬め仕様の左側および右側の追加パッドとが存在している。このような硬め仕様の追加パッドは、標準仕様の追加パッドよりも厚さが薄いものであってよい。そして、上記１セットパッドのうちの１セットとは、図１５に示すように、第１の左側追加パッド１３６、第２の左側追加パッド１３７、第１の右側追加パッド１４１および第２の右側追加パッド１４２からなるセットを意味している。また、第１の左側追加パッド１３６および第１の右側追加パッド１４１のそれぞれは、第２の左側追加パッド１３８および第２の右側追加パッド１４２のそれぞれよりも下方の側（換言すれば、図１５における紙面の前方側）に配置された状態でもって、センターパッド１３１に重ね合わせられる。
【００６０】
図１の下側表示欄１２９のうちの上記（ｄ）項に記載の項に表示されている「（空欄）」とは、センターパッド１３１の頭頂部付近についての頭頂部用の追加パッド１４３、１４４、１４５による調整が必要であるかあるいは不要であるかが不明であることを意味している。そして、前記上頭部高さサイズ（Ｚ）の実測値がパソコンに入力された場合には、前記（ａ）項に記載のセンターパッド１３１の種類と、上頭部高さサイズ（Ｚ）の実測値との関係において、頭頂部用追加パッド１４３〜１４５による調整が必要であれば、前記（ｄ）項に記載した頭頂部の項には、「１パッド追加」などの表示がなされる。
【００６１】
具体的には、上頭部高さサイズ（Ｚ）の実測値として、８９ｍｍが上述のようにしてパソコンに入力されていたとする。一方、この第１の具体例の場合には、ヘルメットのサイズの種類として、ＸＳサイズが選定されるとともに、センターパッド１３１の種類として、「ＸＳ５」が選定されている。このために、図５に示す調整データ表１４８に従って、「ＸＳ５（横軸）」と「８９ｍｍ（縦軸）」との交点に記載されている高さ調整情報を得ることができる。この場合の高さ調整情報は、「１パッド追加」であるから、頭頂部用の追加パッド１４３〜１４５を追加することを意味している。なお、図５において、上記交点における空欄は、「１パッド追加」などのパッド追加情報が記載されていることを意味している。そして、「○」の印は、追加パッド１４３〜１４５を追加する必要がないことを意味している。また、「□」の印は、追加パッド１４３〜１４５を追加しても、ヘルメット１０１のサイズが大きすぎて、サイズ調整が実質的に不可能であることを意味している。さらに、「×」の印しは、ヘルメット１０１のサイズが小さすぎて、サイズ調整が不可能であることを意味している。
【００６２】
上記「○」の印について記述したように、上述のようなサイズ調整が不必要であれば、図１の下側表示欄１２９のうちの上記（ｄ）項に記載の頭頂部の項は、引き続いて、「（空欄）」のままになる。さらに、上述のように、「１パッド追加」などの表示がなされたときには、図１５にそれぞれ示す頭頂部用の中央の追加パッド１４３、頭頂部用の左側の追加パッド１４４および頭頂部用の右側の追加パッド１４５がセンターパッド１３１の外側面に図１５に示す状態でもって配置される。
【００６３】
図１の下側表示欄１２９のうちの上記（ｅ）項に記載の項に表示されている「（空欄）」とは、左側チークパッド１４６および右側チークパッド１４７のそれぞれ３種類ある組み合わせのうちのどの種類のものを選択してヘルメット１０１に用いるべきであるのかが不明であることを意味している。具体的には、厚みなどが互いに異なる第１、第２および第３の左側チークパッド１４６と、厚みなどが互いに異なる第１、第２および第３の右側チークパッド１４７とが存在している。そして、第１の選定の場合には、第１の左側チークパッド１４６と、この第１の左側チークパッド１４６とは左右対称的に構成されていてよい第１の右側チークパッド１４７とが、選定される。また、第２の選定の場合には、第２の左側チークパッド１４６と、この第２の左側チークパッド１４６とは左右対称的に構成されていてよい第２の右側チークパッド１４７とが、選定される。さらに、第３の選定の場合には、第３の左側チークパッド１４６と、この第３の左側チークパッド１４６とは左右対称的に構成されていてよい第３の右側チークパッド１４７とが、選択される。
【００６４】
前記左右ほほ前幅サイズ（Ｌ１）および前記左右ほほ後幅サイズ（Ｌ２）の実測値がパソコンにそれぞれ入力された場合には、前記（ａ）項に記載のセンターパッド１３１の種類と、前記左右ほほ前幅サイズ（Ｌ１）および前記左右ほほ後幅サイズ（Ｌ２）のそれぞれの実測値との関係において、上記第１〜第３の選定のうちのいずれか１つの選定がなされる。そして、この選定結果が上記第１の選定の場合には、図１の下側表示欄１２９のうちの上記（ｅ）項に記載のチークパッドの項には、「３１」が表示される。また、上記選定結果が上記第３の選定の場合には、上記（ｅ）項に記載のチークパッドの項には、「３９」が表示される。さらに、上記選定結果が上記第２の選定の場合には、前記（ｅ）項に記載のチークパッドの項は、引き続いて、「（空欄）」のままである。
【００６５】
左側および右側のチークパッド１４６、１４７に関する上記第１〜第３の選択について、以下において、図６および図７に基づいて具体的に説明すると、これら第１〜第３の選定は、上記プログラムに含まれている６種類の選定データ表１５１、１５２、１５３、１５４、１５５および１５６に従って行われる。これら６種類の選定データ表のうちの選定データ表１５１は、ＸＳサイズ用のヘルメット１０１のためのものである。そして、選定データ表１５２は、Ｓサイズ用のヘルメット１０１のためのものである。また、選定データ表１５３は、Ｍサイズ用のヘルメット１０１のためのものである。さらに、選定データ表１５４は、Ｌサイズ用のヘルメット１０１のためのものである。そして、選定データ表１５５は、ＸＬサイズ用のヘルメット１０１のためのものである。また、選定データ表１５６は、ＸＸＬサイズ用のヘルメット１０１のためのものである。なお、これら６種類の選定データ表１５１〜１５６のそれぞれにおいて、縦軸は、左右ほほ前幅サイズ（Ｌ１）を示している。そして、横軸は、左右ほほ後幅サイズ（Ｌ２）を示している。また、６種類の調整データ表１２１〜１２６における縦軸および横軸の数値の単位は、ｍｍである。
【００６６】
左右ほほ前幅サイズ（Ｌ１）および左右ほほ後幅サイズ（Ｌ２）のそれぞれの実測値として、１４８ｍｍおよび１２７ｍｍがそれぞれ上述のようにしてパソコンに入力されていたとする。一方、この第１の具体例の場合には、ヘルメット１０１のサイズの種類として、ＸＳサイズが選定されている。このために、図６のＸＳサイズ用の選定データ表１５１に従って、これらの入力値の交点に記載されているチークパッドの種類（この場合には、「３１」）が、上述のＸＳサイズのヘルメット１０１に用いられる左側および右側のチークパッド１４６、１４７の種類として、選定される。そして、このようにして選定されたチークバッドの種類が、上述のようにして、図１の下側表示欄１２９のうちの上記（ｅ）項に記載のチークパッドの項に表示される。したがって、ヘルメット１０１には、「３１」という種類の左側および右側のチークパッド１４６、１４７が用いられることができる。
【００６７】
（２）第２および第３の具体例
【００６８】
まず、第２の具体例について説明すると、前後長サイズ（Ｘ）および左右幅サイズ（Ｙ）のそれぞれの実測値として、１８５ｍｍおよび１５３ｍｍがそれぞれ上述のようにしてパソコンに入力されていれば、図２および図３に示す調整データ表１２１〜１２６に従って、これらの入力値の交点が含まれる２種類の調整データ表１２１、１２２にそれぞれ対応するＸＳサイズおよびＳサイズが適用サイズとしてそれぞれ選定されて、パソコンにメモリされる。したがって、図１に示すパソコン画面におけるＸＳサイズ用およびＳサイズ用の表示欄１２７のうちの上側の表示欄１２８に、前記第１の具体例の場合と同様に、「ＸＳサイズ」および「Ｓサイズ」とそれぞれ表示される。また、ＸＳサイズ用およびＳサイズ用の表示欄のうちの下側の表示欄の各項目には、例えば、前記第１の具体例の場合と同様に、前記（ａ）項〜（ｅ）項に記載のように表示される。したがって、ヘルメット着用者の意向などに従ってＸＳサイズおよびＳサイズのうちのいずれか一方を選定してから、これらの（ａ）項〜（ｅ）項に記載のパッド情報に基づいて前記第１の具体例と同様にして、パッドの種類の選定とヘルメットサイズの調整作業とをそれぞれ行えばよい。
【００６９】
つぎに、第３の具体例について説明すると、前後長サイズ（Ｘ）および左右幅サイズ（Ｙ）のそれぞれの実測値として、１８８ｍｍおよび１５６ｍｍがそれぞれ上述のようにしてパソコンに入力されていれば、図２および図３に示す調整データ表１２１〜１２６に従って、これらの入力値の交点が含まれる３種類の調整データ表１２１、１２２、１２３にそれぞれ対応するＸＳサイズ、ＳサイズおよびＭサイズが適用サイズとしてそれぞれ選定されて、パソコンにメモリされる。したがって、図１に示すパソコン画面におけるＸＳサイズ用、Ｓサイズ用およびＭサイズ用の表示欄１２７のうちの上側の表示欄１２８に、「ＸＳサイズ」、「Ｓサイズ」および「Ｍサイズ」とそれぞれ表示される。また、ＸＳサイズ用、Ｓサイズ用およびＭサイズ用の表示欄のうちの下側の表示欄の各項目には、例えば、前記第１および第２の具体例の場合と同様に、前記（ａ）項〜（ｅ）項に記載のように表示される。したがって、ヘルメット着用者の意向などに従ってＸＳサイズ、ＳサイズおよびＭサイズのうちのいずれか一つを選定してから、これらの（ａ）項〜（ｅ）項に記載のパッド情報に基づいて前記第１おおび第２の具体例の場合と同様にして、パッドの種類の選定とヘルメットサイズの調整作業とを行えばよい。
【００７０】
図４には、第２および第３の具体例の場合のように、複数種類の適用サイズが互いに重複している状態が示されている。そして、この図４における白抜きの枠によって囲まれたそれぞれの領域のうちで、１種類の適用サイズしか有していない領域（具体的には、「ＸＳ」、「Ｓ」、「Ｍ」、「Ｌ」、「ＸＬ」および「ＸＸＬ」）には、符号１６１が付されている。また、２種類の適用サイズを有している領域（具体的には、「ＸＳおよびＳ」、「ＳおよびＭ」、「ＭおよびＬ」、「ＬおよびＸＬ」ならびに「ＸＬおよびＸＸＬ」）には、符号１６２が付されている。さらに、３種類の適用サイズを有している領域（具体的には、「ＸＳ、ＳおよびＭ」、「Ｓ、ＭおよびＬ」、「Ｍ、ＬおよびＸＬ」、「Ｌ、ＸＬおよびＸＸＬ」）には、符号１６３が付されている。
【００７１】
上記第２および第３の具体例においては、上述のように、複数種類の適用サイズが選定されて、パソコンにメモリされる。したがって、上記測定者などは、これら複数種類の適用サイズのうちからいずれか１つの適用サイズを選定する必要がある。したがって、この選定を比較的容易に行うことができるように、推奨されるべき適用サイズが図１に示すパソコン画面に表示されるのが好ましい。なお、推奨されるべき適用サイズとは、一般的に言えば、複数種類の適用サイズのうちで、ヘルメットサイズの調整作業が比較的簡単なものであってよい。したがって、図示の実施例においては、パソコンが、複数種類の適用サイズのうちの最も推奨されるべき適用サイズを検出するようにしている。そして、パソコンが、例えば、この検出した適用サイズの表示欄１２７の上側および下側の表示欄１２８、１２９の全面をヘルメットサイズの種類に応じた色彩でもって色付けするようにしている。なお、上記第３の具体例においては、最も推奨されるべき第１の適用サイズと２番目に推奨されるべき第２の適用サイズとの両方について上記色付けを行ってもよい。
【００７２】
以上において、本発明の一実施例について詳細に説明したが、本発明は、この実施例に限定されるものではなく、特許請求の範囲に記載された発明の趣旨に基づいて各種の変更および修正が可能である。
【００７３】
例えば、上述の実施例においては、本発明をフルフェイス型ヘルメットについて適用したが、本発明をジェット型、セミジェット型などの別の種類のヘルメットにも適用することができる。
【００７４】
また、上述の実施例においては、側頭部用の左側および右側の追加パッドを第１の左側追加パッド１３６および第２の左側追加パッド１３７からなる左側頭部用の追加パッドセットと、第１の右側追加パッド１４１および第２の右側追加パッド１４２からなる右側頭部用の追加パッドセットとして構成した。そして、頭頂部用の追加パッドを、中央の追加パッド１４３、左側の追加パッド１４４および右側の追加パッド１４５からなる頭頂部用の追加パッドセットとして構成した。さらに、前側の追加パッド１３４および後側の追加パッド１３５のそれぞれを単一の追加パッドから構成した。しかし、側頭部用の左側および右側の追加パッドならびに頭頂部用の追加パッドのそれぞれは、単一の追加パッド、その他の任意の個数の追加パッドであってもよい。そして、前側および後側の追加パッド１３４、１３５のそれぞれは、任意の複数個の追加パッドであってもよい。
【００７５】
また、上述の実施例においては、左側および右側のチークパッド１４６、１４７のそれぞれには、追加パッドを配置しないようにした。しかし、左側および右側のチークパッド１４６、１４７のそれぞれにも、必要に応じて、チークパッド用の追加パッドを配置するようにしてもよい。この場合、前頭部用の追加パッド１３４の場合と同様に、パソコンから得られるサイズ情報やパッド情報に基づいてチークパッド用の追加パッドによる調整が必要であるかあるいは不要であるかの選定や、どのような種類のチークパッド用追加パッドによるどのような調整が必要であるかの選定が行われることができる。
【００７６】
また、上述の実施例においては、上頭部高さサイズ（Ｚ）は、ヘルメット着用者９３の左耳１０２および右耳１０３のそれぞれの付け根部分の上端からほぼ２ｃｍ上方の部位付近１０８、１０９から、頭頂部１０５付近までの高さを意味している。そして、上記ほぼ２ｃｍは、０〜４ｃｍの範囲であるのが好ましく、１〜３ｃｍの範囲であるのがさらに好ましい。しかし、上頭部高さサイズ（Ｚ）は、左耳１０２および右耳１０３のそれぞれの付け根部分の上端付近から頭頂部１０５付近までの高さ、その他の高さを意味していてもよい。
【００７７】
さらに、上述の実施例においては、ヘルメット販売所の従業員、ヘルメット着用者などがヘルメットサイズを調整するようにした。しかし、ヘルメット着用者が頭部サイズの実測値（具体的には、前記２（ａ）項〜２（ｅ）項に記載した頭部の前後長、左右幅、上頭部高さ、左右ほほ前幅、左右ほほ後幅などのサイズ情報）やその他の情報（具体的には、図１に示すヘルメットサイズや各種のパッド情報など）を添えて、コンピュータネットワークを経由してヘルメットメーカなどにヘルメットを直接に注文することもできる。この場合には、ヘルメットメーカなどは、ヘルメットが最適サイズになるように、必要に応じて各種のパッドの取り付け作業（すなわち、サイズ調整作業）を行ってから、サイズ調整されたヘルメットをヘルメット着用者に必要に応じて送り届ければよい。
【符号の説明】
【００７８】
１        頭部サイズ測定具
２        第１の測定具片
３        第２の測定具片
４        第３の測定具片
１２ａ    第１の長さ目盛
１２ｂ    第１の長さ目盛
３５ａ    第１の指針
３５ｂ    第１の指針
４３      固定用ねじ（第１の固定手段）
５２ａ    第２の長さ目盛
５２ｂ    第２の長さ目盛
８４ａ    第１の指針
８４ｂ    第１の指針
９１      固定用ねじ（第２の固定手段）
９３      ヘルメット着用者
９４      頭部
１０１    ヘルメット
１０６    左側のほほ骨の出っ張り部分
１０７    右側のほほ骨の出っ張り部分
１１１    左側の耳たぶ
１１２    右側の耳たぶ
１１３    少し前方の部分
１１４    少し前方の部分
１３１    センターパッド
１３４    前側追加パッド
１３５    後側追加パッド
１３６    第１の左側追加パッド
１３７    第２の左側追加パッド
１４１    第１の右側追加パッド
１４２    第２の右側追加パッド
１４３    頭頂部用の中央の追加パッド
１４４    頭頂部用の左側の追加パッド
１４５    頭頂部用の右側の追加パッド
１４６    左側チークパッド
１４７    右側チークパッド
Ｘ        前後長サイズ
Ｙ        左右幅サイズ
Ｚ        上頭部高さサイズ
Ｌ１      左右ほほ前幅サイズ
Ｌ２      左右ほほ後幅サイズ
【図１】
0005814773.tif 000002
【図２】
0005814773.tif 000003
【図３】
0005814773.tif 000004
【図４】
0005814773.tif 000005
【図５】
0005814773.tif 000006
【図６】
0005814773.tif 000007
【図７】
0005814773.tif 000008
【図８】
0005814773.tif 000009
【図９】
0005814773.tif 000010
【図１０】
0005814773.tif 000011
【図１１】
0005814773.tif 000012
【図１２】
0005814773.tif 000013
【図１３】
0005814773.tif 000014
【図１４】
0005814773.tif 000015
【図１５】
0005814773.tif 000016